(57)【要約】【課題】本考案は、ケースの構造を大幅にシンプルにし、製品の生産を容易にし、製造コストを大幅に減らし、化粧品の充填を安全に行うことができる、化粧品のケース構造を提供する。【解決手段】蓋部に、化粧品の材料を充填するための台座を組み合わせてなる。蓋部と台座は、相互に対応する半形の中空球体であり、前記台座の頂部の環状口部には、中間輪部が差し込まれる。中間輪部は、内に向かって延伸して、等間隔で排列されたバーフレーム状の環状フレームを形成し、それにより、化粧品材料の充填の際にしっかりと固定することができる。中間輪部の外環状縁は、上に突出するように延伸し位置決め用フレーム縁を形成し、位置決め用フレーム縁の外環状面には、蓋部を螺合して結合するための、螺旋状面が設けられる。台座の底部中央には、流し込み用の穿孔が設けられる。【選択図】図１
0003180384.tif 000002
【実用新案登録請求の範囲】
【請求項１】
蓋部に、化粧品の材料を充填するための台座を組み合わせてなる化粧品のケース構造であって、
蓋部と台座は、相互に対応する半形の中空球体であり、前記台座の頂部の環状口部には、中間輪部が差し込まれ、
中間輪部は、内に向かって延伸して、等間隔で排列されたバーフレーム状の環状フレームを形成し、それにより、化粧品材料の充填の際にしっかりと固定することができ、
中間輪部の外環状縁は、上に突出するように延伸し位置決め用フレーム縁を形成し、位置決め用フレーム縁の外環状面には、蓋部を螺合して結合するための、螺旋状面が設けられることを特徴とする、化粧品のケース構造。
【請求項２】
台座の底部中央には、流し込み用の穿孔が設けられることを特徴とする、請求項１に記載の化粧品のケース構造。
【請求項３】
台座底部の穿孔は、栓或いはシールで密封されることを特徴とする、請求項１に記載の化粧品のケース構造。
【請求項４】
台座の半形口部の内縁に環状に排列された凸ブロック上方の環状面には、凹んだ固定用環状溝が設けられることを特徴とする、請求項１に記載の化粧品のケース構造。
【請求項５】
中間輪部の環状面における下に向かって設けられた凹溝上方には、台座に設けられた環状溝に差し込まれる、突出した凸環状面が設けられることを特徴とする、請求項１に記載の化粧品のケース構造。
【請求項６】
中間輪部における螺合位置には、係止されて蓋部の螺合がゆるむのを防止することができる、係止凸縁突起部が設けられることを特徴とする、請求項１に記載の化粧品のケース構造。
【考案の詳細な説明】
【技術分野】
【０００１】
本考案は化粧品のケース構造に関し、特に予め成型された三つの部材で組み立てられたペースト状の化粧品材料を充填するケース構造であり、上、下を相互に組み合わせる中空蓋部と填充用台座に、それぞれ、対称の内外層を成型させて、外観を美しくした球体形状の化粧品のケース構造に関する。
【背景技術】
【０００２】
一般的に見られる従来の化粧品のケースの設計は単調になりがちであるため、例えば、長管状の口紅ケースのように一般的なペースト状の化粧品包裝容器の設計は、細長い外観に特殊な曲線をもたせるといった変化を加えられることが多く、それにより、ケースの外観は、立体的で洗練された美しい視覚効果を得ることができる。しかしながら、どのように外観を変化させたとしても、外出時に携帯した場合、その細長い外観は、その他の化粧容器（マスカラ、リキッドアイライナー、アイライナー等の化粧品容器）とごちゃごちゃになって区別がつかず、どれを使えばいいか分からなくなるため、携帯して使用するのに不便である。また、構成部材が極めて多いため組み立てにくいだけでなく、装填するためには、熟練した技術と特殊な装填機具の補助が必要であり、製造コストも極めて高い上に装填に高い技術レベルが求められる。これが、一般的によく見られるリップの製品生産コストを低くできない理由であり、他の口紅と区別させるのが容易でない主な原因でもある。実際の消費者の層は様々で、一般の人がよく使っているリップを例にとっても、その使用量は多くしかも幅広い。従って、従来の製品は改良が求められている。口紅と簡単に区別させることができ、製品の製造組立コストを低くおさえることができ、外観が特徴があって洗練された新しいスタイルであり、さらには、異なる消費者層の幅広いニーズに対応でき、外出時の携帯にも便利で、さらに現行のリップクリームを充填できる化粧品ケースの構造を如何に開発するかは、重要な課題である。
【考案の概要】
【考案が解決しようとする課題】
【０００３】
そこで、本考案は、ケースの構造を大幅にシンプルにし、製品の生産を容易にし、製造コストを大幅に減らし、化粧品の充填を安全に行うことができる、化粧品のケース構造を提供することを目的とする。
【０００４】
また、本考案は、外観が美しく、しかも、他の化粧品との判別がつきやすくなり、リサイクルが可能で環境にもやさしい、化粧品のケース構造を提供することを目的とする。
【課題を解決するための手段】
【０００５】
本考案の化粧品のケース構造は、蓋部に、化粧品の材料を充填するための台座を組み合わせてなる。蓋部と台座は、相互に対応する半形の中空球体であり、前記台座の頂部の環状口部には、中間輪部が差し込まれる。中間輪部は、内に向かって延伸して、等間隔で排列されたバーフレーム状の環状フレームを形成し、それにより、化粧品材料の充填の際にしっかりと固定することができる。中間輪部の外環状縁は、上に突出するように延伸し位置決め用フレーム縁を形成し、位置決め用フレーム縁の外環状面には、蓋部を螺合して結合するための、螺旋状面が設けられる。台座の底部中央には、流し込み用の穿孔が設けられる。
【図面の簡単な説明】
【０００６】
【図１】本考案の化粧品のケース構造の組み立てを示した分解斜視図である。
【図２】本考案の化粧品のケース構造の螺合を示した断面斜視図である。
【図３】本考案の化粧品のケース構造の組み立てを示した平面図である。
【図４】本考案の化粧品のケース構造を螺合して使用する状態にした外観を示した斜視図である。
【考案を実施するための形態】
【０００７】
本考案による化粧品のケース構造は、化粧品材料を中空ケースに簡単に充填することができ、主に、中空の球体を構造の外観の設計に生かし、相互に対応する半形の中空球体の蓋部１０と、装填用台座２０と、台座２０の上縁に差し込まれる中間輪部３０の三つの構成部材を簡単に組み合わせてなるケース構造である。組み合わせた後の外観の形状は、台座２０と蓋部１０が内層、外層を異なる材質で分けて成型されていることにより、軟らかく弾性を備えたゴム・プラスチック性材料に適切な模様を設けられた各種のボール状（例えば、サッカー、バスケット、野球、テニス等のボール状）にすることができ、それにより、本考案は、一般的な従来の似たような化粧品のケースとは、明らかに異なる美しい装飾性をもつ外観にすることができる。本考案の構造は、図１から図４に示すように、上、下相互に対応する中空の半形球体である蓋部１０と台座２０とからなり、その内、蓋部１０と台座２０を成型させる時は、特に、内と外の二つの層面に分けて成形される。なお、内層面は、つるつるした硬質のプラスチックからなり、外層面は、軟らかく弾性を備えて触り心地のよいゴム・プラスチック性材料からなり、その外観表面は、モールド成形で形成された様々な模様や色が設けられ、各種様々なスタイルのボール（サッカー、バスケットボール、野球、テニス等円球体形状）形状をもつ外観にすることができる。中空の球体を組み合わせた内部、台座２０の上方内部には、予め成型された中間輪部３０が結合され、それは、単純に差し込んで嵌合させる方式か、螺合して固定する方式で結合される。図面に示すように、主に、中間輪部３０と台座２０内環口縁面には、相互に嵌合される凹溝３１と凸ブロック２１が設けられ、それらを相互に嵌合させることにより、中間輪部３０が台座２０の口縁上方に組み合わされ、さらに、環状に配列された凸ブロック２１の上方の適切な位置には、わずかに凹んだ固定用環状溝２２が設けられ、それにより、中間輪部３０の環状縁に設けられた凸環状面３５を差し込んで固定することができる。また、中間輪部３０の中段は内側に向かって延伸し、等間隔で排列されたバーフレーム状の環状フレーム３２を形成する。環状フレーム３２は、内と外に間隔を空けられ、中央は貫通孔３３を形成し、中間輪部３０の外環状縁は、上へ突出するように延伸し位置決め用フレーム縁を形成する。その凸出フレーム縁の外環状面には、鎖合用螺旋状面３４が設けられ、蓋部１０で蓋をして回転させれば、蓋部１０の内縁に設けられた螺旋状の面によって、簡単に螺合されて蓋を固定することができる。また、中間輪部３０における螺合位置には、係止凸縁突起部が設けられ、蓋部１０を螺合して位置決めすると係止されて蓋部１０が緩むのを防止することができ、さらには、使用者が螺合した位置をすぐに判別することができるため、化粧品ケースの操作をより行いやすくすることができる。
【０００８】
また、台座２０の底部は、通常、平らに削られるか或いはわずかに内側に凹んだ形状の平たい面を形成しており、それにより、組み立てたケースを安定して置いておくことができる。底部中央には、流し込み用の穿孔２３が設けられ、ペースト状の流体となった化粧品の材料４０を充填させることができる。流し込み用の管部材を底部から深く差し込んだ後に充填すると、充填した時に溢れたり外側に漏れたりして、ケースを汚してしまうのを防ぐことができる。また、中段位置に差し込まれた中間輪部３０の間に排列された環状フレーム３２により、充填するときに支えになり位置決めの補助的役割にすることができる。充填してモールド成形をおこなうときは、充填する化粧品の材料４０を環状フレーム３２の上、下の両側の適切な位置に固定し、適切な形状の成型するために充填することができる。そして、充填した後に、台座２０底部の貫通孔２３を栓で塞いで密封することや、或いは、直接、企業のタグシール２４を貼りつけることで流し込み孔を密封することができる。なお、栓は、ゴム・プラスチック材料からなり、成型するケースの外観と同じ装飾面にして独立した設計にすることも、直接一体化させて可動に枢設させることもでき、いずれにしても、簡単に流し込み孔を塞ぐことができればそれでよく、それにより、内部に充填した化粧品をしっかりと被覆することができ、化粧の際に安全で便利に使用することができる。また、化粧品のケースの全体の構造が、シンプルな三つの構成部材をそれぞれ成形させて組合せてなるとともに、特殊な弾性をもつ二層の異なる材料からなる外観により、簡単な組みたてと美しい外観を達成し、さらに、実用的で充填を行いやすい化粧品ケースを実現している。
【０００９】
本考案の化粧品ケースの構造の改良点は以下の通りである。中空球体状の半形からなる蓋部１０と充填包裝用台座２０に関し、内、外の二層を異なる材料Ａ、Ｂで製作することで、外観に装飾図案を形成させるとともに、軟らかく弾性のある触り心地のよい表面をもたせることができる。中空の内部における台座２０上方には、中間輪部３０を差し込んで、蓋部１０を連結させることができ、この構造により、ケースの構造を大幅に簡略化することができる。それにより、構成部材を少なくし、組み立てを簡単にし、高い技術が必要なくなる。また、内層と外層を異なる材料でそれぞれ成形させることにより、全体の外観を各種球体形状にすることができ、化粧品を簡単に選別させることができる。本考案は、さらには、中間輪部の環状フレーム３２と、台座２０底部に設けた流し込み用の穿孔２３を設けることにより、化粧品の材料４０の充填技術を簡略化するとともに、充填の際にしっかりと固定する効果があり、製品生産工程を減らしシステム化することができる。また、底部の栓或いはシール２４で流し込み口を密封する設計により、化粧品を、安全に包装し且つ美しい外観を得させることができる。また、化粧品を使用する時に便利に使用できるという効果がある以外に、全体の構造が、三つの構成部材を組み合わせてなることにより、成型が極めて簡単であり、さらに、異なる心地のよい材料を選んで被覆して成形させることにより、球体の外形に変化を持たせることができるだけでなく、ぶつかったときに安全に保護する効果もある。
【００１０】
１０      蓋部            
２０      台座              
２１      凸ブロック
２２      環状溝            
２３      穿孔  
２４      シール            
３０      中間輪部            
３１      凹溝
３２      環状フレーム            
３３      貫通孔
３４      螺旋状面          
３５            凸環状面
４０      化粧品の材料        
【図１】
0003180384.tif 000003
【図２】
0003180384.tif 000004
【図３】
0003180384.tif 000005
【図４】
0003180384.tif 000006